(57)【要約】【課題】電流センサの設置方向が正しいか否か又は判定可否を判定する時間を適切に制御する。【解決手段】電力管理装置（１０）は、取得部（１３）と制御部（１５）とを備える。取得部（１３）は、電力系統（１００）と負荷機器とを接続する電力線（Ｕ相）に設置された電流センサ（３０）から電流値を取得し、かつ電力線の電圧値を取得する。制御部（１５）は、電流値と電圧値とに基づく電力値を算出し、該電力値の積算電力値を算出し、該積算電力値を用いて電流センサ（３０）の設置方向を判定する又は電流センサ（３０）の設置方向の判定可否を判定する。さらに、制御部（１５）は、電流値又は電力値に基づき、測定時間又は測定回数を変更し、電流センサ（３０）の設置方向を判定する。【選択図】図１
2018004330.tif 000002
【特許請求の範囲】
【請求項１】
電力系統と負荷機器とを接続する電力線に設置された電流センサから電流値を取得し、かつ該電力線の電圧値を前記電力線に設置された電圧センサから取得する取得部と、
前記電流値と前記電圧値とに基づく電力値を算出し、該電力値の積算電力値を算出し、該積算電力値を用いて前記電流センサの設置方向を判定する又は前記電流センサの設置方向の判定可否を判定する制御部と、を備え、
前記制御部は、前記電流値又は前記電力値に基づき、前記積算電力値の測定時間又は測定回数を変更し、前記電流センサの設置方向を判定する、電力管理装置。
【請求項２】
請求項１に記載の電力管理装置において、
前記制御部は、前記電流値又は前記電力値が第１所定値以上である場合、前記測定時間が、前記電流値又は前記電力値が該第１所定値を下回るときの測定時間よりも短くなるように、前記測定時間を変更する、電力管理装置。
【請求項３】
請求項１又は２に記載の電力管理装置において、
前記制御部は、前記電流値又は前記電力値が第１所定値以上第２所定値未満である場合、前記電流値又は前記電力値が第１所定量大きくなる毎に、前記測定時間が第１時間短くなるように、前記測定時間を変更する、電力管理装置。
【請求項４】
請求項１から３の何れか一項に記載の電力管理装置において、
前記制御部は、前記電流値又は前記電力値が第１所定値以上である場合、前記測定回数が、前記電流値又は前記電力値が該第１所定値を下回るときの測定回数よりも減るように、前記測定回数を変更する、電力管理装置。
【請求項５】
請求項１から４の何れか一項に記載の電力管理装置において、
前記制御部は、前記電流値又は前記電力値が第１所定値以上第２所定値未満である場合、前記電流値又は前記電力値が第２所定量大きくなる毎に、前記測定回数が第１所定数減るように、前記測定回数を変更する、電力管理装置。
【請求項６】
請求項１から５の何れか一項に記載の電力管理装置において、
前記制御部は、前記電流値又は前記電力値が第１所定値以上第３所定値未満である場合、前記電流値又は前記電力値が第３所定量大きくなる毎に、前記測定回数が第２所定数減るように、前記測定回数を変更し、
前記制御部は、前記電流値又は前記電力値が第３所定値以上第４所定値未満である場合、前記電流値又は前記電力値が第４所定量大きくなる毎に、前記測定回数が第３所定数減るように、前記測定回数を変更する、電力管理装置。
【請求項７】
請求項１から５の何れか一項に記載の電力管理装置において、
前記制御部は、前記電流値又は前記電力値が第１所定値以上第５所定値未満である場合、前記電流値又は前記電力値が第５所定量大きくなる毎に、前記測定回数が第４所定数減るように、前記測定回数を変更し、
前記制御部は、前記電流値又は前記電力値が第５所定値以上第６所定値未満である場合、前記電流値又は前記電力値が第６所定量大きくなる毎に、前記測定時間が第２時間短くなるように、前記測定時間を変更する、電力管理装置。
【請求項８】
請求項１から７の何れか一項に記載の電力管理装置において、
表示部をさらに備え、
前記制御部は、前記電流センサの設置方向が判定不可であると判定した場合、前記電流センサの設置方向を判定する条件が成立しない旨又は前記負荷機器の負荷電力が足りない旨を、前記表示部に表示させる、電力管理装置。
【請求項９】
請求項８に記載の電力管理装置において、
前記制御部は、前記電流センサの方向判定処理中に、前記電流値又は前記電力値に基づき、前記電流センサの設置方向が判定不可であると判定した場合、前記負荷機器の負荷電力が足りない旨又は前記電流センサの判定方向を行う条件が成立しない旨を、前記表示部に表示させる、電力管理装置。
【請求項１０】
請求項８又は９に記載の電力管理装置において、
前記制御部は、前記電流センサの方向判定処理中に、前記電流センサの方向判定処理の進行状況を、前記表示部に表示させる、電力管理装置。
【請求項１１】
請求項８から１０の何れか一項に記載の電力管理装置において、
前記制御部は、前記電流センサの方向判定処理が完了すると、前記電流センサの方向判定結果を、前記表示部に表示させる、電力管理装置。
【請求項１２】
請求項１から１１の何れか一項の電力管理装置において、
前記制御部は、所定トリガーに応じて、前記電流センサの方向判定に関する処理を開始する、電力管理装置。
【請求項１３】
電力管理装置によって、電力系統と負荷機器とを接続する電力線に設置された電流センサの設置方向の判定方法であって、
前記電流センサから前記電力線の電流値を取得するステップと、
前記電力線の電圧値を取得するステップと、
前記電流値と前記電圧値とに基づく電力値を算出し、該電力値の積算電力値を算出し、該積算電力値を用いて前記電流センサの設置方向を判定する又は前記電流センサの設置方向の判定可否を判定するステップと、
前記電流値又は前記電力値に基づき、前記測定時間又は前記測定回数を変更し、前記電流センサの設置方向を判定するステップと、を含む、電流センサの設置方向の判定方法。
【請求項１４】
電力系統と負荷機器とを接続する電力線に設置された電流センサと、該電流センサの設置方向を判定する電力管理装置とを備える電力管理システムにおいて、
前記電力管理装置は、
前記電流センサから電流値を取得し、かつ該電力線の電圧値を取得する取得部と、
前記電流値と前記電圧値とに基づく電力値を算出し、該電力値の積算電力値を算出し、該積算電力値を用いて前記電流センサの設置方向を判定する又は前記電流センサの設置方向の判定可否を判定する制御部と、を備え、
前記制御部は、前記電流値又は前記電力値に基づき、前記測定時間又は前記測定回数を変更し、前記電流センサの設置方向を判定する、電力管理システム。
【発明の詳細な説明】
【技術分野】
【０００１】
本発明は、電力管理装置、電流センサの設置方向の判定方法及び電力管理システムに関する。
【背景技術】
【０００２】
近年、太陽光発電装置、蓄電装置及び燃料電池装置等の発電装置を需要家施設に設置させることが普及しつつある。
【０００３】
需要家施設において、発電装置又は負荷機器を商用電力系統（以下「電力系統」と略記する）に接続させる際、発電装置の制御等のために、通常、電力系統に接続される電力線に流れる電流を測定する電流センサ（ＣＴ：Ｃｕｒｒｅｎｔ  Ｔｒａｎｓｆｏｒｍｅｒ）が設置される。例えば、発電装置が太陽光発電装置であり、需要家施設が電力会社（電力系統）と売電契約をしている場合、売電する電力量を算出するために電流センサが設置される。
【０００４】
電流センサは正しい方向に設置する必要がある。電流センサは、設置業者によって手作業で設置されるが、誤った方向に設置されると、発電装置等を正しく制御したり、把握したりすることができないことがある。そこで、電流センサの設置方向が正しいか否かを自動的に判定する方法が知られている（例えば、特許文献１）。
【先行技術文献】
【特許文献】
【０００５】
【特許文献１】特開２０１５−００１４０３号公報
【発明の概要】
【発明が解決しようとする課題】
【０００６】
しかしながら、従来の方法では、電流センサの設置方向が正しいか否か又は判定可否の判定に時間がかかる、という問題があった。
【０００７】
かかる点に鑑みてなされた本発明の目的は、電流センサの設置方向が正しいか否か又は判定可否を判定する時間を適切に制御することができる電力管理装置、電流センサの設置方向の判定方法及び電力管理システムを提供することにある。
【課題を解決するための手段】
【０００８】
本発明の一実施形態に係る電力管理装置は、取得部と制御部とを備える。前記取得部は、電力系統と負荷機器とを接続する電力線に設置された電流センサから電流値を取得し、かつ該電力線の電圧値を前記電力線に設置された電圧センサから取得する。前記制御部は、前記電流値と前記電圧値とに基づく電力値を算出し、該電力値の積算電力値を算出し、該積算電力値を用いて前記電流センサの設置方向を判定する又は前記電流センサの設置方向の判定可否を判定する。さらに、前記制御部は、前記電流値又は前記電力値に基づき、前記積算電力値の測定時間又は測定回数を変更し、前記電流センサの設置方向を判定する。
【０００９】
また、本発明の一実施形態に係る電流センサの設置方向の判定方法は、電力管理装置によって、電力系統と負荷機器とを接続する電力線に設置された電流センサの設置方向の判定方法である。該電流センサの設置方向の判定方法は、前記電流センサから前記電力線の電流値を取得するステップと、前記電力線の電圧値を取得するステップと、前記電流値と前記電圧値とに基づく電力値を算出し、該電力値の積算電力値を算出し、該積算電力値を用いて前記電流センサの設置方向を判定する又は前記電流センサの設置方向の判定可否を判定するステップと、前記電流値又は前記電力値に基づき、前記測定時間又は前記測定回数を変更し、前記電流センサの設置方向を判定するステップとを含む。
【００１０】
また、本発明の一実施形態に係る電力管理システムは、電力系統と負荷機器とを接続する電力線に設置された電流センサと、該電流センサの設置方向を判定する電力管理装置とを備える。前記電力管理装置は、取得部と制御部とを備える。前記取得部は、前記電流センサから電流値を取得し、かつ該電力線の電圧値を取得する。前記制御部は、前記電流値と前記電圧値とに基づく電力値を算出し、該電力値の積算電力値を算出し、該積算電力値を用いて前記電流センサの設置方向を判定する又は前記電流センサの設置方向の判定可否を判定する。さらに、前記制御部は、前記電流値又は前記電力値に基づき、前記測定時間又は前記測定回数を変更し、前記電流センサの設置方向を判定する。
【発明の効果】
【００１１】
本発明の一実施形態に係る電力管理装置、電流センサの設置方向の判定方法及び電力管理システムによれば、電流センサの設置方向が正しいか否か又は判定可否を判定する時間を適切に制御することができる。
【図面の簡単な説明】
【００１２】
【図１】本発明の第１の実施形態に係る電力管理システムの概略構成を示す図である。
【図２】表示部に表示される「負荷電力が足りない旨」の一例を示す図である。
【図３】表示部に表示される「ノイズ量が大きい旨」の一例を示す図である。
【図４】本発明の第１の実施形態に係る電力値と測定時間との対応付けの一例を示す図である。
【図５】図４に示す測定時間及び測定回数を用いた場合の総合時間の一例を示す図である。
【図６】表示部に表示される電流センサの設置方向の判定処理の進行状況の一例を示す図である。
【図７】表示部に表示される警告の一例を示す図である。
【図８】表示部に表示される電流センサの方向判定結果の一例を示す図である。
【図９】本発明の第１の実施形態に係る電力管理装置の動作の一例を示すフローチャートである。
【図１０】本発明の第１の実施形態に係る電力管理装置の動作の一例を示すフローチャートである。
【図１１】本発明の第２の実施形態に係る電力値と測定回数との対応付けの一例を示す図である。
【図１２】図１１に示す測定時間及び測定回数を用いた場合の総合時間の一例を示す図である。
【図１３】本発明の第２の実施形態に係る電力管理装置の動作の一例を示すフローチャートである。
【図１４】本発明の第３の実施形態に係る電力値と測定回数との対応付けの一例を示す図である。
【図１５】図１４に示す測定時間及び測定回数を用いた場合の総合時間の一例を示す図である。
【図１６】本発明の第４の実施形態に係る電力値と測定時間及び測定回数との対応付けの一例を示す図である。
【図１７】図１６に示す測定時間及び測定回数を用いた場合の総合時間の一例を示す図である。
【図１８】本発明の第４の実施形態に係る電力管理装置の動作の一例を示すフローチャートである。
【発明を実施するための形態】
【００１３】
以下、本発明の実施形態について、図面を参照して説明する。
【００１４】
（第１の実施形態）
本発明の第１の実施形態に係る電力管理システム１は、需要家施設に設置されるものであり、図１に示すように、電力管理装置１０と、太陽光発電装置２０と、電流センサ３０，３１とを備える。図１において、各ブロックを結ぶ実線は電力線を示し、破線は通信線又は信号線を示す。通信線又は信号線が示す接続は、有線接続であってもよいし、無線接続であってもよい。なお、電力管理装置１０及び太陽光発電装置２０内では、電力線及び通信線等の一部は図示を省略している。
【００１５】
なお、以降の説明においては電力系統１００からの買電を用いて判定を行う事例としているので、便宜上、図１に示すように、電流の方向について、電力系統１００から電力管理システム１が設置される需要家施設へ電流が流れているとき「正方向」に電流が流れているという表現を用いるものとする。また、需要家施設から電力系統１００へ電流が流れているとき「負方向」に電流が流れているという表現を用いるものとする。
【００１６】
電力系統１００は、単相三線式の配線によって電力を供給する。単相三線式の配線は、Ｕ相、Ｗ相及びＯ相から構成される。Ｕ相及びＷ相は、「電圧線」とも称するものとし、Ｏ相は「中性線」とも称するものとする。電力系統１００によって、Ｕ相とＯ相との間には交流１００Ｖが供給され、Ｗ相とＯ相との間には交流１００Ｖが供給され、Ｕ相とＷ相との間には交流２００Ｖが供給される。
【００１７】
負荷２００，２０１は、需要家施設に設置される負荷機器である。負荷２００，２０１は、電力系統１００又は太陽光発電装置２０から供給される交流１００Ｖを消費する。負荷２００はＵ相とＯ相との間に接続され、負荷２０１はＷ相とＯ相との間に接続される。負荷２００，２０１は、任意の数であってよい。
【００１８】
負荷３００は、需要家施設に設置される電気機器である。負荷３００は、電力系統１００又は太陽光発電装置２０から供給される交流２００Ｖを消費する。負荷３００は、Ｕ相とＷ相との間に接続される。負荷３００は、任意の数であってよい。
【００１９】
電力管理装置１０は、Ｕ相に設置された電流センサ３０からＵ相の電流値を取得し、Ｗ相に設置された電流センサ３１からＷ相の電流値を取得する。また、電力管理装置１０は、電力管理装置１０に引き込まれた電圧検出用配線４０から、Ｕ相とＯ相との間の電圧値（以下「Ｕ相の電圧値」という）を取得する。また、電力管理装置１０は、電力管理装置１０に引き込まれた電圧検出用配線４１から、Ｗ相とＯ相との間の電圧値（以下「Ｗ相の電圧値」という）を取得する。なお、本実施形態では、電力管理装置１０は、Ｕ相及びＷ相の電圧値を、有線の電圧検出用配線４０，４１によって取得しているが、これに限られず、例えば、電力管理装置１０は、無線で電圧値を取得してもよい。また、理論値を適用するものとして電圧検出用配線４０及び４１を省略することも可能である。
【００２０】
電力管理装置１０は、取得したＵ相及びＷ相の電流値・電圧値を用いて、太陽光発電装置２０の管理及び制御等を行う。例えば、需要家施設が電力会社と売電契約をしている場合、電力管理装置１０は、取得したＵ相及びＷ相の電流値等を用いて、太陽光発電装置２０から電力会社（電力系統１００）へ売電する電力量を算出する。また、例えば、電力会社から、太陽光発電装置２０の出力を抑制するよう指示を受けた場合、電力管理装置１０は、取得したＵ相及びＷ相の電流値等を用いて、太陽光発電装置２０からの電力が電力系統１００へ逆潮流しないよう、太陽光発電装置２０を制御する。
【００２１】
また、電力管理装置１０は、取得したＵ相及びＷ相の電流値・電圧値を用いて、電流センサ３０，３１の設置方向を判定する。電力管理装置１０の構成及び機能の詳細については後述する。
【００２２】
太陽光発電装置２０は、太陽電池２１と、電力変換部２２とを備える。太陽電池２１は、太陽光のエネルギーを直流電力に変換する。電力変換部２２は、電力管理装置１０の制御に基づき、太陽電池２１から供給される直流電力を、交流２００Ｖに変換する。電力変換部２２は、変換後の交流２００ＶをＵ相とＷ相との間に供給する。
【００２３】
電流センサ３０は、Ｕ相に設置される。電流センサ３０は、検出したＵ相の電流値を、アナログ信号として連続的に、電力管理装置１０に送信する。電流センサ３１は、Ｗ相に設置される。電流センサ３１は、検出したＷ相の電流値を、アナログ信号として連続的に、電力管理装置１０に送信する。電流センサ３０，３１は、例えば、電力線の設置後に取り付け可能な分割式のクランプセンサである。なお、電流センサ３０，３１は、分割式のクランプセンサに限定されず、電流を検出することが可能なセンサであればよい。電流センサ３０，３１は、電力線の設置後、例えば、設置業者によって、それぞれ、Ｕ相及びＷ相に取り付けられる。
【００２４】
続いて、電力管理装置１０の構成及び機能について説明する。電力管理装置１０は、表示部１１と、入力部１２と、取得部１３と、記憶部１４と、制御部１５とを備える。
【００２５】
表示部１１は、太陽光発電装置２０の発電状況及び負荷２００，２０１の電力消費状況等を表示する。また、表示部１１は、電流センサ３０，３１の方向判定処理中に、判定処理の進行状況を表示したり、判定結果を表示したりする。
【００２６】
入力部１２は、ユーザの入力を受け付ける。ユーザは、電流センサ３０，３１の設置方向が正しいか否かを確認したい際、入力部１２から、「電流センサの方向判定処理モードへの移行指示」を入力する。また、入力部１２は定期的に所定日時に実行指令を送出するタイマーであってもよい。
【００２７】
取得部１３は、電流センサ３０からＵ相の電流値を取得し、電流センサ３１からＷ相の電流値を取得する。なお、電流センサ３０，３１が検出した電流値は、電流センサ３０，３１から、アナログ信号として連続的に、電力管理装置１０へ送信されてくる。そのため、取得部１３は、例えば、電流センサ３０（又は電流センサ３１）から連続的に送信されてくるアナログ信号をサンプリングし、規定時間積算させた値の平均値を、Ｕ相の電流値（又はＷ相の電流値）として取得してもよい。又は、取得部１３は、電流センサ３０（又は電流センサ３１）から連続的に送信されてくるアナログ信号の規定時間における瞬間値を、Ｕ相の電流値（又はＷ相の電流値）として取得してもよい。又は、制御部１５は、電流センサ３０（又は電流センサ３１）から連続的に送信されてくるアナログ信号の規定時間における実効値を、Ｕ相の電流値（又はＷ相の電流値）として取得してもよい。
【００２８】
また、取得部１３は、電圧検出用配線４０からＵ相の電圧値を取得し、電圧検出用配線４１からＷ相の電圧値を取得する。なお、Ｕ相及びＷ相からの電圧値は、電圧検出用配線４０，４１を経由して、アナログ信号として連続的に電力管理装置１０に取り込まれる。そのため、取得部１３は、電圧検出用配線４０（又は電圧検出用配線４１）を経由して電力管理装置１０に連続的に取り込まれるアナログ信号を、規定時間積算させた値の平均値をＵ相の電圧値（又はＷ相の電圧値）として取得してもよい。又は、取得部１３は、電圧検出用配線４０（又は電圧検出用配線４１）を経由して電力管理装置１０に連続的に取り込まれるアナログ信号の規定時間における瞬間値を、Ｕ相の電圧値（又はＷ相の電圧値）として取得してもよい。又は、取得部１３は、電圧検出用配線４０（又は電圧検出用配線４１）を経由して電力管理装置１０に連続的に取り込まれるアナログ信号の規定時間における実効値を、Ｕ相の電圧値（又はＷ相の電圧値）として取得してもよい。また、電流センサの方向判定処理に関しては、Ｕ相の電圧値及びＷ相の電圧値にそれぞれＵ相とＷ相間の電圧値（２００Ｖ）を適用してもよい。
【００２９】
記憶部１４は、電力管理装置１０の処理に必要な情報及び電力管理装置１０の各機能を実現する処理内容を記述したプログラム等を記憶している。記憶部１４は、例えば、後述のＵ相の電流値又は電力値と測定時間との対応付け（図４参照）を記憶している。Ｗ相の電流値又は電力値の場合も同様である。
【００３０】
制御部１５は、電力管理装置１０全体を制御及び管理するものであり、例えばプロセッサで構成することができる。制御部１５は、記憶部１４に記憶されているプログラムを読み出して実行し、様々な機能を実現させる。
【００３１】
制御部１５は、「電流センサの方向判定処理モードへの移行指示」を、入力部１２を介して取得する。制御部１５によって入力部１２を介して取得される「電流センサの方向判定処理モードへの移行指示」は、電力管理装置１０に電流センサ３０，３１の方向判定に関する処理を開始させるための、特許請求の範囲における「所定トリガー」の１つである。「所定トリガー」としてはユーザのマニュアル操作による信号入力や、タイマーによる所定日時に送出される実行指令、電流センサからの信号入力などが挙げられる。制御部１５は、「電流センサの方向判定処理モードへの移行指示」を取得すると、電力管理システム１の状態が電流センサ３０，３１の設置方向を判定するのに適した状態であるか否か（以下「電流センサの設置方向の判定可否」という）を判定する。この処理を、下記＜電流センサの設置方向の判定可否に関する処理＞において説明する。なお、制御部１５が、電流センサ３０と電流センサ３１とのそれぞれに関して行う処理は同様である。そのため、以後、Ｕ相に設置された電流センサ３０を例に説明する。
【００３２】
＜電流センサの設置方向の判定可否に関する処理＞
制御部１５は、入力部１２を介して、「電流センサの方向判定処理モードへの移行指示」を取得すると、「太陽光発電装置の停止指示及び負荷作動指示」を、表示部１１に表示させ、ユーザに提示する。ユーザは、この表示を見ると、太陽光発電装置２０の電力変換部２２を停止させ、さらに、Ｕ相に接続された負荷２００の電源を投入する。すると、Ｕ相には、正方向の電流が流れるようになる。その後、ユーザは、「電流センサの方向判定処理の実行開始指示」を、入力部１２から入力する。制御部１５は、「電流センサの方向判定処理の実行開始指示」を取得すると、電源投入された負荷２００の状態を安定させるために、規定時間（例えば２０秒程度）待機する。
【００３３】
制御部１５は、規定時間（例えば２０秒程度）待機した後、電流センサ３０から取得部１３によって、Ｕ相の電流値を取得する。そして、制御部１５は、取得したＵ相の電流値が、電流センサ３０の検出精度が低下する範囲（以下「精度低下域」という）に含まれるか否か判定する。例えば、負荷２００の負荷電力が小さくＵ相に流れる電流が小さい場合に、電流センサ３０から取得部１３によって取得されるＵ相の電流値が、精度低下域に含まれることがある。なお、精度低下域は、電流センサ３０の検出精度が低下する範囲としたが、電流センサ３０の検出精度が低下する閾値であってもよい。電流センサ３０の設置方向の判定はＵ相の電流値等を用いて行われるため、Ｕ相の電流値が精度低下域に含まれる場合、電力管理システム１の状態は、電流センサ３０の設置方向を判定するのに適した状態ではない。
【００３４】
従って、制御部１５は、取得したＵ相の電流値が精度低下域に含まれる場合、電流センサ３０の設置方向は判定不可であると判定する。さらに、制御部１５は、電流センサ３０の設置方向が判定不可であると判定した場合、「電流センサの設置方向を判定する条件が成立しない旨」又は「負荷電力が足りない旨」を、表示部１１に表示させて処理を終了する。図２に、表示部１１に表示される「負荷電力が足りない旨」の表示の一例を示すが、これに限定されず、同じことを意味する注意喚起又は通知を用いることができる。図２の例では、負荷電力の値（５０Ｗ）と伴に、「負荷電力が足りない旨」として“Ｕ相の負荷を追加又は２００Ｖの負荷を使用してください”と、表示部１１に表示されている。このように、負荷２００の負荷電力が小さく、電力管理システム１の状態が電流センサ３０の設置方向を判定するのに適した状態ではない場合、図２に示す「負荷電力が足りない旨」等が、当初予定されていた処理時間が経過する前に表示部１１によってユーザに直ちに提示される。これにより、ユーザは、無駄な時間を費やすことなく、負荷２００に接続させる電気機器を追加したり又は負荷３００の電源を投入したりして、直ちに、電流センサ３０の方向判定処理を再開することができる。
【００３５】
なお、制御部１５は、電流センサ３０から取得部１３によって、Ｕ相の電流値を複数回取得し、取得した複数回のＵ相の電流値の平均値が精度低下域に含まれる場合に、電流センサ３０の設置方向は判定不可であると判定してもよい。
【００３６】
一方、制御部１５は、取得したＵ相の電流値が精度低下域に含まれない場合、取得したＵ相の電流値に含まれるノイズ量が所定量を下回るか否か判定する。例えば、電流センサ３０から取得部１３によって取得されるＵ相の電流値には、電力管理装置１０を含む装置の電源ノイズ等の外来ノイズによって、ノイズが生じることがある。電流センサ３０の設置方向の判定はＵ相の電流値等を用いて行われるため、Ｕ相の電流値に含まれるノイズ量が大きい場合、電力管理システム１の状態は、電流センサ３０の設置方向を判定するのに適した状態ではない。なお、ノイズ量が所定量を下回る場合について以下説明するが、所定量は予め設定されている値だけに限定されず、所定の比率であってもよく、この場合、所定の比率以下であれば所定量を下回ると判定する。
【００３７】
従って、制御部１５は、取得したＵ相の電流値に含まれるノイズ量が所定量以上であると判定した場合、電流センサ３０の設置方向は判定不可であると判定する。さらに、制御部１５は、電流センサ３０の設置方向が判定不可であると判定した場合、「電流センサの設置方向を判定する条件が成立しない旨」又は「ノイズ量が大きい旨」を、表示部１１に表示させて処理を終了する。図３に、表示部１１に表示される「ノイズ量が大きい旨」の表示の一例を示すが、これに限定されず、同じことを意味する注意喚起又は通知を用いることができる。図３の例では、「ノイズ量が大きい旨」として“ノイズ量が大きいです”と表示されている。このように、Ｕ相の電流値に含まれるノイズ量が大きく、電力管理システム１の状態が電流センサ３０の設置方向を判定するのに適した状態ではない場合、図３に示す「ノイズ量が大きい旨」等が、表示部１１によってユーザに直ちに提示される。これにより、ユーザは、無駄な時間を費やすことなく、外来ノイズ対策をした後、直ちに、電流センサ３０の方向判定処理を再開することができる。
【００３８】
なお、制御部１５は、電流センサ３０から取得部１３によって、Ｕ相の電流値を複数回取得し、取得した複数回のＵ相の電流値の平均値に含まれるノイズ量が所定量以上であると判定した場合に、電流センサ３０の設置方向は判定不可であると判定してもよい。
【００３９】
一方、制御部１５は、取得したＵ相の電流値に含まれるノイズ量が所定量を下回ると判定した場合、電流センサ３０の設置方向は判定可であると判定する。そして、制御部１５は、電流センサ３０の設置方向の判定処理を行うための初期設定を行った後、電流センサ３０の設置方向の判定処理を開始する。以下、この処理を下記＜電流センサの設置方向の判定処理＞において説明する。なお、本例においてはユーザの操作をトリガーとして開始されるものとしたが、これに限定されるものではなく、例えば、太陽光による発電が行われない夜間時間帯の所定の時刻に自動的に方向判定を実行するなどのように自動化されてもよい。この場合、負荷容量やノイズ量で判定処理が開始されなかった等の結果は表示されるようにすることができる。電流センサの判定は設置時に行なえば十分だが、このように定期的に方向判定することによって、常に電流センサの方向が正しいか否かを確認して、変更があれば修正を実行することができる。
【００４０】
＜電流センサの設置方向の判定処理＞
制御部１５は、電流センサ３０から取得部１３によってＵ相の電流値を取得し、かつ電圧検出用配線４０から取得部１３によってＵ相の電圧値を取得する。制御部１５は、取得したＵ相の電流値とＵ相の電圧値とを乗算して電力値を算出し、該電力値を測定時間積算して積算電力値を算出する。さらに、制御部１５は、積算電力値を測定回数算出する。そして、制御部１５は、該測定回数算出した積算電力値を用いて、電流センサ３０の設置方向が正しいか否か判定する。以下、この処理内容について詳細に説明する。
【００４１】
Ｕ相に流れる電流が正方向である場合、例えば、Ｕ相において電動機などの誘導負荷を使用したとすると、交流電圧に対する交流電流の位相のずれは０度以上９０度以下となる（抵抗負荷のみなら０度、誘導負荷では遅れ方向、容量負荷では進み方向で、それらの合成抵抗で位相のずれの大きさが決まる）。すなわち、電流センサ３０から電力管理装置１０へアナログ信号として送信されてくる交流電流と、電力管理装置１０に電圧検出用配線４０を経由してアナログ信号として取り込まれる交流電圧との位相のずれは、０度以上９０度以下となる。そのため、電力管理装置１０において、アナログ信号である交流電流及び交流電圧から取得部１３によって同じタイミングでＵ相の電流値及びＵ相の電圧値をそれぞれ取得した場合、取得したＵ相の電流値及びＵ相の電圧値の符号の正負は、多くの場合、同一となる。従って、取得部１３によって取得した、Ｕ相の電流値とＵ相の電圧値とを乗算させて算出される電力値の符号は、多くの場合、正となる。なお、交流電流に対する交流電圧の位相のずれとして取り扱う場合は、遅れ方向と進み方向が逆になるので、位相のずれは０度以下−９０度以上とするが、符号の正負が多くの場合、同一となることは同じである。
【００４２】
一方、Ｕ相に流れる電流が負方向である場合、Ｕ相において誘導負荷を使用したとすると、交流電圧と交流電流の位相のずれは１８０度以上２７０度以下となる（誘導負荷と容量負荷の合成抵抗で位相のずれの大きさが決まる）。すなわち、電流センサ３０から電力管理装置１０へアナログ信号として送信されてくる交流電流と、電力管理装置１０に電圧検出用配線４０を経由してアナログ信号として取り込まれる交流電圧との位相のずれは、１８０度以上２７０度以下となる。そのため、電力管理装置１０において、アナログ信号である交流電流及び交流電圧から取得部１３によって同じタイミングでＵ相の電流値及びＵ相の電圧値をそれぞれ取得する場合、取得したＵ相の電流値及びＵ相の電圧値の符号の正負は、多くの場合、反対となる。従って、取得部１３によって取得した、Ｕ相の電流値とＵ相の電圧値とを乗算させて算出される電力値の符号は、多くの場合、負となる。
【００４３】
ここで、電流センサ３０の設置方向が正しい場合、上述のように、Ｕ相に流れる電流は正方向である。従って、電流センサ３０の設置方向が正しい場合、算出される電力値の符号は、多くの場合、正となる。一方で、電流センサ３０の設置方向が正しくない場合、算出される電力値の符号は、多くの場合、負となる。
【００４４】
ところで、電流センサ３０の設置方向が正しい場合、算出される電力値の符号は、多くの場合に正となるのであって、負となる場合もある。同様に、電流センサ３０の設置方向が正しくない場合、算出される電力値の符号は、多くの場合に負となるのであって、正となる場合もある。加えて、電流センサ３０の設置方向が正しい場合であっても、例えば外来ノイズ及び負荷機器の電力消費の変動等によって、電流波形及び電圧波形が歪むことで、サンプリングされる電流値の一部が負の値で取得されるために、算出される電力値の符号が負となる場合がある。従って、単に、算出される電力値の符号を用いて電流センサ３０の設置方向が正しいか否かを判定すると、電流センサ３０の設置方向を誤判定してしまうことがある。
【００４５】
そこで、本実施形態では、電流センサ３０の設置方向の誤判定を防止するために、Ｕ相の電流値とＵ相の電圧値とを乗算して電力値を算出し、該電力値を測定時間積算して算出される積算電力値の符号を、電流センサ３０の設置方向が正しいか否かの判定に用いる。加えて、本実施形態では、電流センサ３０の設置方向の誤判定をさらに防止するために、積算電力値を測定回数算出し、測定回数算出した積算電力値の符号に基づき、電流センサの設置方向が正しいか否か判定する。例えば、制御部１５は、測定回数算出した積算電力値の符号が所定割合以上（例えば７割以上）正である場合、電流センサ３０の設置方向が正しいと判定する。又は、制御部１５は、測定回数算出した積算電力値の符号が全て正である場合に電流センサ３０の設置方向が正しいと判定してもよい。
【００４６】
なお、例えば外来ノイズ及び負荷機器の電力消費の変動等によって、電流波形及び電圧波形が歪んだりすることは、Ｕ相に流れる電流値が小さいほど、顕著に生じ得る。従って、Ｕ相に流れる電流値が小さいほど、電流センサ３０の設置方向の誤判定を防ぐために、上述の測定時間を長くすることが望ましく、同様に、上述の測定回数を多くすることが望ましい。一方、別の見方をすれば、Ｕ相に流れる電流値が大きいほど、電流センサ３０の設置方向を誤判定するリスクは低くなる。従って、Ｕ相に流れる電流値が大きいほど、上述の測定時間を短くすることができ、同様に、上述の測定回数を少なくすることができる。
【００４７】
そこで、本実施形態では、Ｕ相に流れる電流値、すなわち、電流センサ３０から取得部１３によって取得されるＵ相の電流値に基づき、上述の測定時間又は測定回数を変更する。これにより、本実施形態では、Ｕ相に流れる電流値に基づき、電流センサ３０の方向判定処理にかかる時間を適切に制御することができる。第１の実施形態では、電流センサ３０から取得部１３によって取得されるＵ相の電流値に基づき、測定時間を変更して、電流センサ３０の方向判定処理にかかる時間を適切に制御する。
【００４８】
以下、電流センサ３０から取得部１３によって取得されるＵ相の電流値に基づき、測定時間を変更する一例について、図４を用いて説明する。
【００４９】
図４に、電力値と測定時間との対応付けの一例を示す。なお、図４では、便宜上、Ｕ相の電流値の代わりに、該電流値と電圧値（１００Ｖ）との積である電力値と、測定時間との対応付けを示すが、電流値と測定時間の対応付けであってもよい。また、図４では、電力値１００Ｗ未満が電流センサ３０の精度低下域に相当する。従って、電力値１００Ｗ未満では、測定時間は電力値に対応付けされていない。また、図４では、測定回数は５回の固定値である。
【００５０】
図４に示す電力値と測定時間の対応付けを用いて、制御部１５は、電流センサ３０から取得部１３によって取得するＵ相の電流値に基づき、測定時間を変更する。例えば、制御部１５は、取得するＵ相の電力値が１００Ｗ以上３００Ｗ未満の範囲にある場合、測定時間を１２０秒に変更する。また、制御部１５は、電力値が３００Ｗ以上１０００Ｗ未満の範囲にある場合、測定時間を、Ｐを電力値［Ｗ］として、１２０−（Ｐ−３００）／７．７８秒と表される値に変更する。言い換えると、制御部１５は、電力値が３００Ｗ以上１０００Ｗ未満の範囲にある場合、電力値が７．７８Ｗ大きくなる毎に、測定時間が１秒短くなるように、測定時間を変更する。また、制御部１５は、電力値が１０００Ｗ以上である場合、測定時間を３０秒に変更する。
【００５１】
図４の例のように、電力値が１００Ｗから３００Ｗ未満の範囲にあり、電流センサ３０に流れる電流値が小さい場合、電流センサ３０の設置方向の誤判定を防ぐために、測定時間は、ある程度精度の良い方向判定ができる１２０秒としている。また、図４では、電力値（電流値）が３００Ｗ（第１所定値）以上になると、電力値（電流値）が３００Ｗ（第１所定値）未満であるときよりも、電流センサ３０の設置方向を誤判定するリスクが低くなる。そのため、電力値（電流値）が３００Ｗ（第１所定値）以上である場合、測定時間は、電力値（電流値）が３００Ｗ（第１所定値）を下回るときの１２０秒よりも短くなるように、変更される。さらに、図４では、電力値（電流値）が３００Ｗ（第１所定値）以上１０００Ｗ（第２所定値）未満の範囲にある場合、Ｕ相に流れる電流値が大きくなるほど、電流センサ３０の設置方向を誤判定するリスクが低くなる。そのため、電力値（電流値）が３００Ｗ（第１所定値）以上１０００Ｗ（第２所定値）未満の範囲にある場合、電力値（電流値）が７．７８Ｗ（第１所定量）大きくなる毎に、測定時間が１秒（第１時間）短くなるように変更される。また、電力値が１０００Ｗ（第２所定値）以上である場合、電流センサ３０の設置方向を誤判定するリスクは十分に低くなる。従って、電力値が１０００Ｗ（第２所定値）以上である場合、測定時間は３０秒に変更される。
【００５２】
第１の実施形態では、Ｕ相に流れる電流値に基づき、測定時間を変更することで、電流センサ３０の方向判定処理にかかる時間（以下「総合時間」とも称する）を適切に制御する。この一例を、図５を用いて説明する。
【００５３】
図５に、図４に示す測定時間及び測定回数を用いた場合の総合時間の一例を示す。なお、図５においても、図４と同様に、便宜上、Ｕ相の電流値の代わりに、該電流値と電圧値（１００Ｖ）との積である電力値を示す。
【００５４】
図５に示すように、電力値が１００Ｗ以上３００Ｗ未満の範囲にある場合、電流センサ３０の設置方向の誤判定を防止するために、総合時間は１０分（＝１２０秒×５回）となる。また、電力値が３００Ｗ以上１０００Ｗ未満の範囲にある場合、Ｕ相に流れる電流値が大きくなるほど電流センサ３０の設置方向を誤判定するリスクは低くなるため、電力値が７．７８Ｗ大きくなる毎に、総合時間は５秒（＝１秒×５回）短くなる。また、電力値が１０００Ｗ以上である場合、Ｕ相に流れる電流値が大きく電流センサ３０の設置方向を誤判定するリスクは十分に低くなるため、総合時間は２分３０秒（＝３０秒×５回）と短くなる。
【００５５】
このように、第１の実施形態では、Ｕ相に流れる電流値が小さく電流センサ３０の設置方向の誤判定を防止する必要がある場合、測定時間を長くして、精度良い方向判定処理を行うようにする。一方、Ｕ相に流れる電流値が大きく電流センサ３０の設置方向を誤判定するリスクが低い場合は、測定時間を短くして総合時間を短くする。従って、第１の実施形態では、Ｕ相に流れる電流値に基づき測定時間を変更することで、総合時間を適切に制御することができる。
【００５６】
また、制御部１５は、電流センサ３０の方向判定処理中に、電流センサ３０の方向判定処理の進行状況を、表示部１１に表示させ、ユーザに提示する。図６に、表示部１１に表示される電流センサ３０の方向判定処理の進行状況の一例を示す。図６の例では、Ｕ相に設置された電流センサ３０の方向判定処理は４０％進行しており、さらに、負荷電力の値が５００Ｗであることが示されている。このように、電流センサ３０の方向判定処理中に、電流センサ３０の方向判定処理の進行状況をユーザに提示することで、ユーザは、電流センサ３０の方向判定処理中に、電流センサ３０の進行状況を把握することができる。なお、進行状況が分かるような表示であればこれに限定されず、同じことを意味する注意喚起又は通知を用いることができる。例えば、具体的に、全体処理の進行度合いとして何％進行したかを表示してもよいし、残り何％残っているかを表示してもよいし、経過時間又は残り時間等を表示してもよいし、これらをグラフ化又はアイコン等により意匠化してもよい。
【００５７】
また、制御部１５は、電流センサ３０の方向判定処理中に、太陽光発電装置２０からＵ相及びＷ相へ電力供給が行われていることを検出した場合は、警告を、表示部１１に表示させ、ユーザに提示する。図７に、表示部１１に表示される警告の一例を示す。図７の例では、警告として“太陽光発電装置が稼働中です。太陽光発電装置を停止させてください”と表示されている。このように、方向判定処理に影響を及ぼす情報を電流センサや電圧センサ以外からも取得して判定不可な状態であることを判定実行中に表示するとなお良い。なお、太陽光発電装置２０から電力供給されていることを検出する方法としては、太陽光発電装置２０の電力変換部２２から供給状況を例えばホームネットワークで受信することにより検出してもよいし、太陽光発電装置２０の発電電力を測定する電流センサからの信号を受信することにより検出してもよい。
【００５８】
制御部１５は、電流センサ３０の方向判定処理中に、取得部１３によって電流センサ３０から取得したＵ相の電流値に基づき、電流センサ３０の設置方向が判定不可であると判定してもよい。この場合、制御部１５は、Ｕ相の電流値が電流センサ３０の精度低下域に含まれると判定した場合に、電流センサ３０の設置方向が判定不可であると判定してもよい。このとき、制御部１５は、「電流センサの設置方向を判定する条件が成立しない旨」又は「負荷電力が足りない旨」（図２参照）を、表示部１１に表示させ、ユーザに提示してもよい。又は、制御部１５は、Ｕ相の電流値に含まれるノイズ量が所定量以上であると判定した場合に、電流センサ３０の設置方向が判定不可であると判定してもよい。このとき、制御部１５は、「電流センサの設置方向を判定する条件が成立しない旨」又は「ノイズ量が大きい旨」（図３参照）を、表示部１１に表示させ、ユーザに提示してもよい。
【００５９】
また、制御部１５は、電流センサ３０の方向判定処理が終了した際は、電流センサ３０の方向判定結果を、表示部１１に表示させ、ユーザに提示する。図８に、表示部１１に表示される電流センサ３０の方向判定結果の一例を示す。図８の例では、表示部１１に“電流センサは正常に設置されています”と表示され、電流センサ３０の設置方向が正常であるという方向判定結果が示されている。
【００６０】
［システム動作］
以下、本発明の第１の実施形態に係る電力管理装置１０の動作の一例について説明する。電流センサ３０，３１の方向判定に関する処理は同様にして行うことができるため、以下では、電流センサ３０を例に説明する。なお、電流センサ３０，３１の方向判定に関する処理は、それぞれ独立に並行して実施してもよい。まず、電流センサ３０の方向判定に関する処理において、電流センサ３０の設置方向の判定可否を判定する際の電力管理装置１０の動作について、図９を参照して説明する。
【００６１】
＜電流センサの設置方向の判定可否に関する動作＞
電流センサ３０を設置させた後、ユーザ（例えば設置業者）は、電力管理装置１０に電流センサ３０，３１の方向判定に関する処理を開始させるためのトリガーとして、「電流センサの方向判定処理モードへの移行指示」を、入力部１２から入力する。
【００６２】
制御部１５は、入力部１２を介して、「電流センサの方向判定処理モードへの移行指示」を取得すると（ステップＳ１０１）、「太陽光発電装置の停止指示及び負荷作動指示」を、表示部１１に表示させ、ユーザに提示する（ステップＳ１０２）。ユーザは、この表示を見ると、太陽光発電装置２０の電力変換部２２を停止させ、さらに、Ｕ相に接続された負荷２００の電源を投入する。すると、Ｕ相には、正方向の電流が流れるようになる。その後、ユーザは、「電流センサの方向判定処理の実行開始指示」を、入力部１２から入力する。
【００６３】
制御部１５は、「電流センサの方向判定処理の実行開始指示」を取得すると（ステップＳ１０３）、電源投入された負荷２００の状態を安定させるために、規定時間（例えば２０秒程度）待機する（ステップＳ１０４）。規定時間待機することによって精度を高めることができるが、これに限定されず、規定時間待機しなくてもよい。
【００６４】
規定時間待機した後、制御部１５は、電流センサ３０から取得部１３によって、Ｕ相の電流値を取得する（ステップＳ１０５）。そして、制御部１５は、取得したＵ相の電流値が、精度低下域に含まれるか否か判定する（ステップＳ１０６）。
【００６５】
制御部１５は、取得したＵ相の電流値が精度低下域に含まれると判定した場合（ステップＳ１０６：Ｙｅｓ）、電流センサ３０の設置方向は判定不可であると判定する。この場合、制御部１５は、「電流センサの設置方向を判定する条件が成立しない旨」又は「負荷が足りない旨」（図２参照）を、表示部１１に表示させ（ステップＳ１０７）、処理を終了する。一方、制御部１５は、取得した電流値が、精度低下域に含まれないと判定した場合（ステップＳ１０６：Ｎｏ）、ステップＳ１０８の処理に進む。
【００６６】
このようにステップＳ１０６，Ｓ１０７の処理を行うことで、負荷２００の負荷電力が小さく電力管理システム１の状態が電流センサ３０の設置方向を判定するのに適した状態ではない場合、「負荷が足りない旨」等が、表示部１１によってユーザに直ちに提示される。これにより、ユーザは、無駄な時間を費やすことなく、負荷２００に接続させる電気機器を追加したり又は負荷３００の電源を投入したりして、直ちに、電流センサ３０の方向判定処理を再開することができる。
【００６７】
ステップＳ１０８の処理では、制御部１５は、取得したＵ相の電流値に含まれるノイズ量が所定量を下回るか否か判定する。ノイズの大きさを判定する手段としては、例えば、電流波形を１周期分サンプリングし、電流値が瞬間的にでも大きく変動しているポイントの電流値の変動量をチェックする等が挙げられる。制御部１５は、取得したＵ相の電流値に含まれるノイズ量が所定量を下回ると判定した場合（ステップＳ１０８：Ｙｅｓ）、ステップＳ１１０の処理に進む。一方、制御部１５は、取得したＵ相の電流値に含まれるノイズ量が所定量以上であると判定した場合（ステップＳ１０８：Ｎｏ）、電流センサ３０の設置方向は判定不可であると判定する。この場合、制御部１５は、「電流センサの設置方向を判定する条件が成立しない旨」又は「ノイズ量が大きい旨」（図３参照）を、表示部１１に表示させ（ステップＳ１０９）、処理を終了する。
【００６８】
このようにステップＳ１０８，Ｓ１０９の処理を行うことで、ノイズ量が大きく電力管理システム１の状態が電流センサ３０の設置方向を判定するのに適した状態ではない場合、「ノイズ量が大きい旨」等が、表示部１１によってユーザに直ちに提示される。これにより、ユーザは、無駄な時間を費やすことなく、外来ノイズ対策をした後、直ちに、電流センサ３０の方向判定処理を再開することができる。
【００６９】
ステップＳ１１０の処理では、制御部１５は、電流センサ３０の設置方向の判定処理を行うための初期設定を行う。第１の実施形態において積算電力値を算出する際に用いる測定回数を固定値にする場合、制御部１５は、ステップＳ１１０の処理において測定回数を設定しておくとよい。初期設定後、制御部１５は、電流センサ３０の設置方向の判定処理を開始する。
【００７０】
なお、制御部１５は、ステップＳ１０５の処理で複数回のＵ相の電流値を取得し、取得した複数回のＵ相の電流値の平均値を用いて、ステップＳ１０６，Ｓ１０８の処理を行ってもよい。
【００７１】
次に、図９に示すステップＳ１１０の処理の終了後、電流センサ３０の設置方向の判定処理を行う際の電力管理装置１０の動作を、図１０を参照して説明する。
【００７２】
＜電流センサの設置方向の判定処理に関する動作＞
まず、制御部１５は、Ｕ相の電流値と測定時間との対応付け（図４参照）を、記憶部１４から読み出して取得する（ステップＳ２０１）。次に、制御部１５は、電流センサ３０から取得部１３によって、Ｕ相の電流値を取得する（ステップＳ２０２）。
【００７３】
制御部１５は、ステップＳ２０１の処理で取得した測定時間の対応付け（図４参照）と、ステップＳ２０２の処理で取得したＵ相の電流値とを用いて、測定時間を設定（変更）する（ステップＳ２０３）。例えば、制御部１５は、図４に示す対応付けを用いる場合に、ステップＳ２０２の処理で取得した電流値が４００Ｗの電力値に相当する場合、測定時間を１０７秒（Ｐ＝４００で算出）に変更する。
【００７４】
次に、制御部１５は、電流センサ３０の設置方向が正しいか否かの判定に用いる積算電力値を算出する。すなわち、制御部１５は、電圧検出用配線４０から取得部１３によってＵ相の電圧値を取得し、かつ電流センサ３０から取得部１３によってＵ相の電流値を取得する（ステップＳ２０４）。さらに、制御部１５は、Ｕ相の電圧値とＵ相の電流値とを乗算して電力値を算出し、該電力を測定時間積算して積算電力値を算出する（ステップＳ２０５）。この際、制御部１５は、算出した積算電力値の符号の正負を、記憶部１４に記憶させておく。
【００７５】
次に、制御部１５は、ステップＳ２０４，Ｓ２０５の処理によって算出される積算電力値の算出回数が測定回数に達しているか否か判定する（ステップＳ２０６）。制御部１５は、積算電力値の算出回数が測定回数に達していると判定した場合（ステップＳ２０６：Ｙｅｓ）、ステップＳ２０８の処理に進む。一方、制御部１５は、積算電力値の算出回数が測定回数に達していないと判定した場合（ステップＳ２０６：Ｎｏ）、ステップＳ２０７の処理に進む。
【００７６】
ステップＳ２０７の処理では、制御部１５は、電流センサ３０の方向判定処理の進行状況（図６参照）を、表示部１１に表示させ、ユーザに提示する。その後、制御部１５は、ステップＳ２０４からの処理を繰り返し行う。
【００７７】
このようにステップＳ２０７の処理を行うことで、電流センサ３０の方向判定処理中に、ユーザは、電流センサ３０の方向判定処理の進行状況を把握することができる。
【００７８】
ステップＳ２０８の処理では、制御部１５は、記憶部１４に記憶されている積算電力値の符号の正負を用いて、電流センサ３０の設置方向が正しいか否か判定する。例えば、制御部１５は、測定回数算出した積算電力値において、符号が正となる積算電力値が所定割合以上（例えば７割以上）存在する場合、電流センサの設置方向は正しいと判定する。
【００７９】
ステップＳ２０９の処理では、制御部１５は、ステップＳ２０８の処理による方向判定結果（図８参照）を、表示部１１に表示させる。
【００８０】
また、制御部１５は、ステップＳ２０１〜Ｓ２０９の処理中に、太陽光発電装置２０からＵ相及びＷ相へ電力供給が行われていることを検出した場合は、警告（図８参照）を、表示部１１に表示させ、ユーザに提示する。
【００８１】
さらに、制御部１５は、ステップＳ２０１〜Ｓ２０９の処理中に、取得部１３によって電流センサ３０から取得したＵ相の電流値に基づき、電流センサ３０の設置方向が判定不可であると判定してもよい。この場合、制御部１５は、ステップＳ２０２，Ｓ２０４の処理で取得したＵ相の電流値が電流センサ３０の精度低下域に含まれると判定した場合に、電流センサ３０の設置方向が判定不可であると判定してもよい。このとき、制御部１５は、「電流センサの設置方向を判定する条件が成立しない旨」又は「負荷電力が足りない旨」（図２参照）を、表示部１１に表示させ、ユーザに提示してもよい。又は、制御部１５は、ステップＳ２０２，Ｓ２０４の処理で取得したＵ相の電流値に含まれるノイズ量が所定量以上であると判定した場合に、電流センサ３０の設置方向が判定不可であると判定してもよい。このとき、制御部１５は、「電流センサの設置方向を判定する条件が成立しない旨」又は「ノイズ量が大きい旨」（図３参照）を、表示部１１に表示させ、ユーザに提示してもよい。
【００８２】
また、制御部１５は、電流センサ３０の方向判定処理の進行具合に応じて、ステップＳ２０７の処理を行うようにしてもよい。例えば、制御部１５は、電流センサ３０の方向判定処理が２０％進行する毎に、ステップＳ２０７の処理を実行し、電流センサ３０の方向判定処理の進行状況を、表示部１１によってユーザに提示してもよい。
【００８３】
また、制御部１５は、ステップＳ２０１〜Ｓ２０３の処理と、ステップＳ２０４〜Ｓ２０７の処理とを、並列に実行してもよい。さらに、制御部１５は、ステップＳ２０４〜Ｓ２０７の処理を繰り返し行っている間に、ステップＳ２０２，Ｓ２０３の処理を繰り返し行うようにしてもよい。この場合、制御部１５は、ステップＳ２０３の処理の完了前に、ステップＳ２０４，Ｓ２０５の処理を行う場合のために、図９に示すステップＳ１１０の処理で、測定時間を、Ｕ相の電流値が小さい場合を想定して最大値である１２０秒に設定しておいてもよい。また、この場合、制御部１５は、ステップＳ２０３の処理で測定時間を再度変更した場合、再度変更した測定時間に基づき、ステップＳ２０４〜Ｓ２０７の処理を続けてもよい。これにより、電流センサ３０の方向判定処理中に、負荷２００の負荷電力が変動しても、制御部１５は、負荷２００の負荷電力の変動に応じた適切な長さに測定時間を変更し、電流センサ３０の方向判定処理を継続することができる。
【００８４】
さらに、本実施形態に係る電力管理装置１０では、制御部１５によって図９に示すステップＳ１０１〜Ｓ１１０の処理及び図１０に示すステップＳ２０１〜Ｓ２０９の処理を、太陽光発電装置２０が発電を行わない夜間（朝方及び夕方）に定期的に実行させてもよい。この場合、制御部１５は、図９に示すステップＳ１０１〜Ｓ１０４の処理を行わなくてもよい。また、この場合、特許請求の範囲における「所定トリガー」は、例えば、朝の４時、夕方８時及び夜間０時等である。このように定期的に電流センサ３０，３１の設置方向の判定処理を行うことで、例えば電力線の工事等で第３者により電流センサ３０，３１が間違った方向に設置されても、電力管理装置１０によって電流センサ３０，３１の誤設置を自動的に検出し、電流方向を内部処理で補正することができる。
【００８５】
また、本実施形態に係る電力管理装置１０は、電力管理システム１が、太陽光発電装置２０の代わりに、例えば、蓄電装置及び燃料電池装置等といった他の種類の発電装置を備える場合であっても、上述の制御及び処理を実施することができる。蓄電装置及び燃料電池装置は、蓄電装置及び燃料電池装置からの電力が電力系統へ逆潮流しないよう制御する必要がある。そのため、蓄電装置及び燃料電池装置を設置させる際は、併せて電流センサも設置される。従って、電力管理システム１が蓄電装置又は燃料電池装置を備えている場合にも、本実施形態に係る電力管理装置１０の上述の制御及び処理を行う必要が生じ得る。
【００８６】
以上のように、第１の実施形態に係る電力管理装置１０では、電流センサ３０から取得部１３によって取得されるＵ相の電流値に基づき、電流センサ３０の設置方向を判定する際に用いる積算電力値を算出する際の測定時間を変更する。これにより、第１の実施形態に係る電力管理装置１０では、Ｕ相に流れる電流値に基づき、電流センサ３０の方向判定処理にかかる時間である総合時間を適切に制御することができる。
【００８７】
（第２の実施形態）
次に、第２の実施形態に係る電力管理装置について説明する。第２の実施形態に係る電力管理装置には、第１の実施形態に係る電力管理装置１０と同様の構成を採用することができる。従って、以下では、図１を参照し、第１の実施形態との相違点について主に説明する。
【００８８】
第２の実施形態では、電流センサ３０の方向判定処理において、電流センサ３０から取得部１３によって取得したＵ相の電流値に基づき、積算電力値を算出する回数である測定回数を変更する。これにより、第２の実施形態では、電流センサ３０の方向判定処理にかかる時間である総合時間を適切に制御する。以下、電流センサ３０から取得部１３によって取得されるＵ相の電流値に基づき、測定回数を変更する一例について、図１１を用いて説明する。なお、第２の実施形態において、図１１に示す測定時間及び測定回数は、記憶部１４に記憶されているものとする。
【００８９】
図１１に、電力値と測定回数との対応付けの一例を示す。なお、図１１でも、図４と同様に、便宜上、Ｕ相の電流値の代わりに、該電流値と電圧値（１００Ｖ）との積である電力値と測定回数との対応付けを示す。また、図１１でも、図４と同様に、電力値１００Ｗ未満が電流センサ３０の精度低下域に相当する。従って、電力値１００Ｗ未満では、測定回数が電力値に対応付けされていない。また、図１１では、測定時間は３０秒の固定値である。
【００９０】
図１１に示す電力値と測定回数との対応付けを用いて、制御部１５は、電流センサ３０から取得部１３によって取得するＵ相の電流値に基づき、測定回数を変更する。例えば、制御部１５は、取得するＵ相の電力値が、１００Ｗ以上３００Ｗ未満の範囲にある場合、測定回数を２０回に変更する。また、制御部１５は、電力値が３００Ｗ以上１１００Ｗ未満の範囲にある場合、電力値が２００Ｗ大きくなる毎に、測定回数が４回減るように、測定回数を変更する。また、制御部１５は、電力値が１１００Ｗ以上である場合、測定回数を２回に設定する。
【００９１】
図１１の例のように、電力値が１００Ｗ以上３００Ｗ未満の範囲にあり、Ｕ相に流れる電流値が小さい場合、電流センサ３０の設置方向の誤判定を防ぐために、測定回数は、ある程度精度の良い方向判定ができる２０回としている。また、図１１では、電力値（電流値）が３００Ｗ（第１所定値）以上になると、電力値が３００Ｗ未満であるときよりも、電流センサ３０の設置方向を誤判定するリスクが低くなる。そのため、電力値（電流値）が３００Ｗ（第１所定値）以上である場合、測定回数は、電力値（電流値）が３００Ｗ（第１所定値）を下回るときの測定回数２０回よりも減るように、変更される。つまり、電力値（電流値）が３００Ｗ（第１所定値）以上になると、測定回数は、２０回未満になる。さらに、電力値が３００Ｗ（第１所定値）以上１１００Ｗ（第２所定値）未満の範囲にある場合、電力値（電流値）が大きくなるほど、電流センサ３０の設置方向を誤判定するリスクが低くなる。従って、電力値が３００Ｗ（第１所定値）以上１１００Ｗ（第２所定値）未満の範囲にある場合、測定回数は、電力値（電流値）が２００Ｗ（第２所定量）大きくなる毎に、４回（第１所定数）減るように、変更される。また、電力値が１１００Ｗ（第２所定値）以上である場合、Ｕ相に流れる電流値が大きく電流センサ３０の設置方向を誤判定するリスクは十分低くなる。従って、電力値が１１００Ｗ（第２所定値）以上である場合、測定回数は２回になる。
【００９２】
第２の実施形態では、Ｕ相の電流値に基づき、測定回数を変更することで、電流センサ３０の方向判定処理にかかる時間である総合時間を適切に制御する。この一例を、図１２を用いて説明する。
【００９３】
図１２に、図１１に示す測定時間及び測定回数を用いた場合の総合時間の一例を示す。なお、図１２においても、図１１と同様に、便宜上、Ｕ相の電流値の代わりに、該電流値と電圧値（１００Ｖ）との積である電力値を示す。
【００９４】
図１２に示すように、電力値が１００Ｗ以上３００Ｗ未満の範囲にある場合、電流センサ３０の設置方向の誤判定を防止するために、総合時間は１０分（＝３０秒×２０回）となる。また、電力値が３００Ｗ以上になると、Ｕ相に流れる電流値が大きくなるほど、電流センサ３０の設置方向の誤判定のリスクは低くなる。従って、電力値が３００Ｗ以上１１００Ｗ未満の範囲にある場合、電力値が２００Ｗ大きくなる毎に、総合時間は２分（＝３０秒×４回）短くなる。また、電力が１１００Ｗ以上である場合、つまり、Ｕ相に流れる電流値が大きく電流センサ３０の設置方向を誤判定するリスクが十分に低い場合、総合時間は１分（＝３０秒×２回）と短くなる。
【００９５】
このように、第２の実施形態では、Ｕ相に流れる電流値が小さく電流センサ３０の設置方向の誤判定を防止する必要がある場合は、測定回数を増加させて、精度良い方向判定処理を行うようにする。一方、Ｕ相に流れる電流値が大きく電流センサ３０の設置方向を誤判定するリスクが低い場合は、測定回数を減らし、総合時間を短くする。従って、第２の実施形態では、Ｕ相に流れる電流値に基づき測定回数を変更することで、総合時間を適切に制御することができる。
【００９６】
［システム動作］
以下、第２の実施形態に係る電力管理装置１０の動作について説明する。なお、電流センサ３０の方向判定に関する処理において、電流センサ３０の設置方向の判定可否を判定する際の電力管理装置１０の動作（図９参照）は、第１の実施形態と同様であるため、説明を省略する。従って、以下では、図９に示すステップＳ１１０の処理の終了後、電流センサ３０の設置方向の判定処理を行う際の電力管理装置１０の動作を、図１３を参照して説明する。
【００９７】
＜電流センサの設置方向の判定処理に関する動作＞
まず、制御部１５は、Ｕ相の電流値と測定回数との対応付け（図１１参照）を、記憶部１４から読み出して取得する（ステップＳ３０１）。次に、制御部１５は、電流センサ３０から取得部１３によって、Ｕ相の電流値を取得する（ステップＳ３０２）。
【００９８】
制御部１５は、ステップＳ３０１の処理で取得した測定回数の対応付け（図１１参照）と、ステップＳ３０２の処理で取得したＵ相の電流値とを用いて、測定回数を設定（変更）する（ステップＳ３０３）。例えば、制御部１５は、図１１に示す対応付けを用いる場合に、ステップＳ３０２の処理で取得した電流値が４００Ｗの電力値に相当する場合、測定回数を１６回に変更する。
【００９９】
ステップＳ３０４〜Ｓ３０９の処理は、図１０に示すステップＳ２０４〜Ｓ２０９の処理と同様であるため、説明を省略する。
【０１００】
さらに、第２の実施形態でも第１の実施形態と同様に、制御部１５は、ステップＳ３０１〜Ｓ３０３の処理と、ステップＳ３０４〜Ｓ３０７の処理とを、並列に実行してもよい。加えて、制御部１５は、ステップＳ３０４〜Ｓ３０７の処理を繰り返し行っている間に、ステップＳ３０２，Ｓ３０３の処理を繰り返し行うようにしてもよい。この場合、制御部１５は、ステップＳ３０３の処理の完了前に、ステップＳ３０４，Ｓ３０５の処理を行う場合のために、図９に示すステップＳ１１０の処理で、測定回数を、Ｕ相に流れる電流値が小さい場合を想定して最大値である２０回に設定しておいてもよい。また、この場合、制御部１５は、負荷２００の負荷電力の変動によって、ステップＳ３０３の処理で測定回数を再設定した場合、再設定した測定回数に基づき、ステップＳ３０４〜Ｓ３０７の処理を続けてもよい。このとき、制御部１５は、測定回数を再設定する前（負荷２００の負荷電力が変動する前）のステップＳ３０４〜Ｓ３０７の処理の進行状況等に基づき、測定回数をステップＳ３０３の処理で再設定してもよい。以下、この際の処理を、実施例１及び２を用いて説明する。なお、以下では、便宜上、Ｕ相の電流値の代わりに、該電流値と電圧値（１００Ｖ）との積である電力値を用いて説明する。また、電力値と測定回数との対応付けは、図１１の例を用いる。
【０１０１】
［実施例１］：負荷電力値が低下又は増加する前のステップＳ３０４〜Ｓ３０７の処理の進行度と、負荷電力値が低下する場合か又は増加する場合かとに基づいて、測定回数を再度設定する場合
【０１０２】
例１．負荷電力値９５０ＷでステップＳ３０４〜Ｓ３０７の処理が２５％まで進行した後、負荷電力値が９５０Ｗから４００Ｗに低下した場合
例１では、負荷電力値が低下する前の９５０ＷでのステップＳ３０４〜Ｓ３０７の処理によって、積算電力値が１回（＝４回×０．２５）算出されている。しかしながら、負荷電力値９５０ＷでのステップＳ３０４〜Ｓ３０７の処理の進行度合いは２５％と低い。従って、この場合、制御部１５は、負荷電力値が低下する前の９５０ＷでのステップＳ３０４〜Ｓ３０７の処理によって算出された積算電力値の結果を破棄する。そして、制御部１５は、負荷電力値が４００Ｗに低下した後のステップＳ３０４〜Ｓ３０７の処理によって算出された積算電力値のみを、ステップＳ３０９の処理で用いるようにする。そのため、制御部１５は、負荷電力値が低下した後のステップＳ３０３の処理において、測定回数を４００Ｗの電力値に対応する１６回に再設定し、新たに、ステップＳ３０４〜Ｓ３０７の処理を行う。
【０１０３】
例２．負荷電力値９５０ＷでステップＳ３０４〜Ｓ３０７の処理が５０％まで進行した後、負荷電力値が９５０Ｗから４００Ｗに低下した場合
例２では、負荷電力値が低下する前の９５０ＷでのステップＳ３０４〜Ｓ３０７の処理によって、積算電力値が２回（＝４回×０．５）算出されている。さらに、負荷電力値９５０ＷでのステップＳ３０４〜Ｓ３０７の処理の進行度合いも５０％と高い。加えて、負荷電力値が大きい場合は、積算電力値の算出において、ノイズ等の影響が低減される。そのため、負荷電力値９５０Ｗで算出された２回の積算電力値の結果は信頼性が高い。従って、制御部１５は、負荷電力値の低下前の９５０Ｗで算出された積算電力値の結果と、負荷電力値の低下後の４００Ｗで算出される積算電力値の結果とを、ステップＳ３０９の処理で用いるようにする。従って、制御部１５は、負荷電力値が低下した後のステップＳ３０３の処理において、測定回数を１２回（４００Ｗの電力に対応する１６回の８０％）に再設定する。これにより、負荷電力値が４００Ｗに低下した後のステップＳ３０４〜Ｓ３０７の処理によって、積算電力値が１２回算出される。その後、制御部１５は、ステップＳ３０９の処理において、９５０Ｗで算出された２回の積算電力値による電流センサ３０の方向判定結果と、４００Ｗで算出された１２回の積算電力値による電流センサ３０の方向判定結果とを比較する。そして、制御部１５は、両者が、共に、電流センサ３０の設置方向が正しいという結果である場合、電流センサ３０の設置方向は正しいと判定する。
【０１０４】
例３．負荷電力値４００ＷでステップＳ３０４〜Ｓ３０７の処理が２０％まで進行した後、負荷電力値が４００Ｗから９５０Ｗに増加した場合
例３では、負荷電力値が増加する前の４００ＷでのステップＳ３０４〜Ｓ３０７の処理によって、積算電力値が３回（＝１６回×０．２）算出されている。しかしながら、４００ＷでのステップＳ３０４〜Ｓ３０７の処理の進行度合いは２０％と低い。従って、この場合、制御部１５は、負荷電力値が増加する前の４００ＷでのステップＳ３０４〜Ｓ３０７の処理によって算出された積算電力値の結果を破棄する。そして、制御部１５は、負荷電力値が９５０Ｗに増加した後のステップＳ３０４〜Ｓ３０７の処理によって算出される積算電力値のみを、ステップＳ３０９の処理で用いるようにする。そのため、制御部１５は、負荷電力値が増加した後のステップＳ３０３の処理において、測定回数を９５０Ｗの電力値に対応する４回に再設定し、新たに、ステップＳ３０４〜Ｓ３０７の処理を行う。
【０１０５】
なお、例３において、負荷電力値が増加する前の４００ＷでのステップＳ３０４〜Ｓ３０７の処理によって算出された積算電力値を記憶部１４に記憶させておいてもよい。そして、制御部１５は、負荷電力値の増加後のステップＳ３０４〜Ｓ３０７の処理が５０％まで進んだときに、４００Ｗでの積算電力値による方向判定結果と、９５０Ｗでの積算電力値による方向判定結果とを比較し、両者が一致する場合、処理を終了してもよい。
【０１０６】
例４．負荷電力値４００ＷでステップＳ３０４〜Ｓ３０７の処理が５０％まで進行した後、負荷電力値が４００Ｗから９５０Ｗに増加した場合
例４では、負荷電力値が増加する前の４００ＷでのステップＳ３０４〜Ｓ３０７の処理によって、積算電力値が８回（＝１６回×０．５）算出されている。加えて、負荷電力値４００ＷでのステップＳ３０４〜Ｓ３０７の処理の進行度合いも５０％と高い。そのため、制御部１５は、負荷電力値が増加する前の４００Ｗで算出された積算電力値の結果と、負荷電力値が増加した後の９５０Ｗで算出される積算電力値の結果とを、ステップＳ３０９の処理で用いるようにする。従って、制御部１５は、負荷電力値が増加した後のステップＳ３０３の処理において、測定回数を３回（９５０Ｗの電力に対応する４回の７５％）に再設定する。これにより、負荷電力値が９５０Ｗに増加した後のステップＳ３０４〜Ｓ３０７の処理によって、積算電力値が３回算出される。その後、制御部１５は、ステップＳ３０９の処理において、４００Ｗでの８回の積算電力値による電流センサ３０の方向判定結果と、９５０Ｗでの３回の積算電力値による電流センサ３０の方向判定結果とを比較する。そして、制御部１５は、両者が、共に、電流センサ３０の設置方向が正しいという結果である場合、電流センサ３０の設置方向は正しいと判定する。
【０１０７】
［実施例２］：負荷電力値が低下又は増加する前のステップＳ３０４〜Ｓ３０７の処理の進行度に基づくポイント付与によって、測定回数を再度設定する場合
【０１０８】
例５．負荷電力値９５０ＷでステップＳ３０４〜Ｓ３０７の処理が２５％まで進行した後、負荷電力値が９５０Ｗから４００Ｗに低下した場合
算出完了時における積算電力値の算出回数を１００ポイントとする。例５では、負荷電力値が低下する前の９５０ＷでのステップＳ３０４〜Ｓ３０７の処理は２５％進行している。そのため、制御部１５は、負荷電力値が低下する前の９５０Ｗで１回（＝４回×０．２５）算出された積算電力値に２５ポイントを付与する。そして、制御部１５は、負荷電力値が４００Ｗに低下した後のステップＳ３０４〜Ｓ３０７の処理で７５ポイント分の積算電力値を算出する。このために、制御部１５は、負荷電力値が４００Ｗに低下した後のステップＳ３０３の処理において、測定回数を１２回（４００Ｗの電力値に対応する１６回の７５％）に再設定する。そして、制御部１５は、ステップＳ３０９の処理では、９５０Ｗで算出された２５ポイント分の積算電力値と、４００Ｗで算出された７５ポイント分の積算電力値とを合算して、電流センサ３０の設置方向が正しいか否か判定する。
【０１０９】
例６．負荷電力値４００ＷでステップＳ３０４〜Ｓ３０７の処理が２５％まで進行した後、負荷電力値が４００Ｗから９５０Ｗに増加した場合
算出完了時における積算電力値の算出回数を１００ポイントとする。例６では、負荷電力値が増加する前の４００ＷでのステップＳ３０４〜Ｓ３０７の処理は２５％進行している。そのため、制御部１５は、負荷電力値が増加する前の４００Ｗで４回（＝１６回×０．２５）算出された積算電力値に２５ポイントを付与する。そして、制御部１５は、負荷電力値が９５０Ｗに増加した後のステップＳ３０４〜Ｓ３０７の処理で７５ポイント分の積算電力値を算出する。このために、制御部１５は、電力値が９５０Ｗに増加した後のステップＳ３０３の処理において、測定回数を３回（９５０Ｗの電力値に対応する４回の７５％）に再設定する。そして、制御部１５は、ステップＳ３０９の処理では、４００Ｗで算出された２５ポイント分の積算電力値と、９５０Ｗで算出された７５ポイント分の積算電力値とを合算して、電流センサ３０の設置方向が正しいか否か判定する。
【０１１０】
なお、例５及び例６において、負荷電力値が低下又は増加する場合の負荷電力値が低い（例えば電力値が５００Ｗ未満）ときに算出される積算電力値への信頼性を懸念する場合、負荷電力値が低いときに算出される積算電力値のポイントに補正係数を掛けてもよい。これにより、負荷電力値が高いときに算出される積算電力値へのポイント配分を高くすることができ、より信頼性の高い電流センサの方向判定結果を得ることができる。この場合、例５では、４００Ｗで４回算出された積算電力値に付与する２５ポイントに、例えば、補正係数０．５〜０．９を掛ける。
【０１１１】
なお、上記では、測定時間を固定として説明したが、第２の実施形態においても、第１の実施形態のように、電流センサ３０から取得部１３によって取得されるＵ相の電流値に基づいて測定時間を変更してもよい。
【０１１２】
以上のように、第２の実施形態に係る電力管理装置１０では、電流センサ３０から取得部１３によって取得されるＵ相の電流値に基づき、電流センサ３０の設置方向を判定する際に用いる積算電力値を算出する際の測定回数を変更する。これにより、第２の実施形態では、Ｕ相に流れる電流値に基づき、電流センサ３０の方向判定処理にかかる時間である総合時間を適切に制御することができる。
【０１１３】
第２の実施形態に係る電力管理装置１０において、その他の制御及び効果は、第１の実施形態に係る電力管理装置１０と同様である。
【０１１４】
（第３の実施形態）
次に、第３の実施形態に係る電力管理装置について説明する。第３の実施形態に係る電力管理装置には、第１の実施形態に係る電力管理装置１０と同様の構成を採用することができる。従って、以下では、図１を参照し、第１の実施形態との相違点について主に説明する。
【０１１５】
第３の実施形態では、電流センサ３０の方向判定処理において、電流センサ３０から取得部１３によって取得したＵ相の電流値に基づき、第２の実施形態と同様に、積算電力値を算出する回数である測定回数を変更する。なお、第３の実施形態では、第２の実施形態とは異なり、Ｕ相の電流値に基づき、より細かく測定回数を変更する。これにより、第３の実施形態では、電流センサ３０の方向判定処理にかかる時間である総合時間を適切に制御する。以下、電流センサ３０から取得部１３によって取得されるＵ相の電流値に基づき、測定回数を変更する一例について、図１４を用いて説明する。なお、第３の実施形態において、図１４に示す測定時間及び測定回数は、記憶部１４に記憶されているものとする。
【０１１６】
図１４に、電力値と測定回数との対応付けの一例を示す。なお、図１４でも、図４と同様に、便宜上、Ｕ相の電流値の代わりに、該電流値と電圧値（１００Ｖ）との積である電力値と測定回数との対応付けを示す。また、図１４でも、図４と同様に、電力値１００Ｗ未満が電流センサ３０の精度低下域に相当する。従って、電力値１００Ｗ未満では、測定回数が電力値に対応付けされていない。また、図１４では、測定時間は３０秒の固定値である。
【０１１７】
図１４に示す電力値と測定回数との対応付けを用いて、制御部１５は、電流センサ３０から取得部１３によって取得するＵ相の電流値に基づき、測定回数を変更する。例えば、制御部１５は、取得するＵ相の電力値が１００Ｗ以上３００Ｗ未満の範囲にある場合、測定回数を２０回に変更する。また、制御部１５は、電力値が３００Ｗ以上５００Ｗ未満の範囲にある場合、測定回数を１６回に変更する。また、制御部１５は、電力値が６００Ｗ以上１０００Ｗ未満の範囲にある場合、電力値が１００Ｗ大きくなる毎に、測定回数が２回減るように、測定回数を変更する。また、制御部１５は、電力値が１０００Ｗ以上である場合、測定回数を２回に設定する。
【０１１８】
図１４の例のように、電力値が１００Ｗ以上３００Ｗ未満の範囲にあり、Ｕ相に流れる電流値が小さい場合、電流センサ３０の設置方向の誤判定を防ぐために、測定回数は、ある程度精度の良い方向判定ができる２０回としている。また、図１４の例では、電力値（電流値）が３００Ｗ（第１所定値）以上になると、電力値が３００Ｗ未満であるときよりも、電流センサ３０の設置方向を誤判定するリスクが低くなる。そのため、電力値（電流値）が３００Ｗ（第１所定値）以上である場合、測定回数は、電力値（電流値）が３００Ｗ（第１所定値）を下回るときの測定回数２０回よりも減るように、変更される。つまり、電力値（電流値）が３００Ｗ（第１所定値）以上になると、測定回数は２０回未満になる。また、電力値が３００Ｗ（第１所定値）以上５００Ｗ（第３所定値）未満の範囲にある場合、測定回数は、電力値（電流値）が２００Ｗ（第３所定量）大きくなる毎に、４回（第２所定数）減るように、変更される。また、電力値が５００Ｗ（第３所定値）以上１０００Ｗ（第４所定値）未満の範囲にある場合、電力値が１００Ｗ（第４所定量）大きくなる毎に、２回（第３所定数）減るように、変更される。また、電力値が１０００Ｗ（第４所定値）以上である場合、Ｕ相に流れる電流値が大きく電流センサ３０の設置方向を誤判定するリスクは十分低くなる。従って、電力値が１０００Ｗ（第４所定値）以上である場合、測定回数は２回と少なくなる。
【０１１９】
第３の実施形態では、Ｕ相の電流値に基づき、測定回数を変更することで、電流センサ３０の方向判定処理にかかる時間である総合時間を適切に制御する。この一例を、図１５を用いて説明する。
【０１２０】
図１５に、図１４に示す測定時間及び測定回数を用いた場合の総合時間の一例を示す。なお、図１５においても、図１４と同様に、便宜上、Ｕ相の電流値の代わりに、該電流値と電圧値（１００Ｖ）との積である電力値を示す。
【０１２１】
図１５に示すように、電力値が１００Ｗ以上３００Ｗ未満の範囲にある場合、電流センサ３０の設置方向の誤判定を防止するために、総合時間は１０分（＝３０秒×２０回）となる。また、電力値が３００Ｗ以上になると、Ｕ相に流れる電流値が大きくなるほど、電流センサ３０の設置方向の誤判定のリスクは低くなる。従って、総合時間は、電力値が３００Ｗ以上５００Ｗ未満の範囲にある場合は８分となる。また、電力値が５００Ｗ以上１０００Ｗ未満の範囲にある場合は、電力値が１００Ｗ大きくなる毎に、総合時間が１分（＝３０秒×２回）短くなる。また、電力が１０００Ｗ以上である場合、つまり、Ｕ相に流れる電流値が大きく電流センサ３０の設置方向を誤判定するリスクが十分に低い場合、総合時間は１分（＝３０秒×２回）と短くなる。
【０１２２】
このように、第３の実施形態では、Ｕ相に流れる電流値が小さく電流センサ３０の設置方向の誤判定を防止する必要がある場合、測定回数を増加させて、精度良い方向判定処理を行うようにする。一方、Ｕ相に流れる電流値が大きく電流センサ３０の設置方向を誤判定するリスクが低い場合は、測定回数を減らし、総合時間を短くする。従って、第３の実施形態では、Ｕ相に流れる電流値に基づき測定回数を変更することで、総合時間を適切に制御することができる。さらに、第３の実施形態では、Ｕ相に流れる電流値に基づき測定回数をより細かく変更することで、総合時間をより適切に制御することができる。
【０１２３】
［システム動作］
第３の実施形態に係る電力管理装置１０の動作は、第２の実施形態に係る電力管理装置１０の動作と同様であるため、説明を省略する。
【０１２４】
第３の実施形態に係る電力管理装置１０において、その他の制御及び効果は、第１及び第２の実施形態に係る電力管理装置１０と同様である。
【０１２５】
（第４の実施形態）
次に、第４の実施形態に係る電力管理装置について説明する。第４の実施形態に係る電力管理装置には、第１の実施形態に係る電力管理装置１０と同様の構成を採用することができる。従って、以下では、図１を参照し、第１の実施形態との相違点について主に説明する。
【０１２６】
第４の実施形態では、電流センサ３０の方向判定処理において、電流センサ３０から取得部１３によって取得したＵ相の電流値に基づき、積算電流値の算出に用いる測定回数と測定時間との両方を変更する。これにより、第４の実施形態では、電流センサ３０の方向判定処理にかかる時間である総合時間を適切に制御する。以下、電流センサ３０から取得部１３によって取得されるＵ相の電流値に基づき、測定時間及び測定回数を変更する一例について、図１６を用いて説明する。なお、第４の実施形態において、図１６に示す測定時間及び測定回数は、記憶部１４に記憶されているものとする。
【０１２７】
図１６に、電力値と測定回数及び測定時間との対応付けの一例を示す。なお、図１６でも、図４と同様に、便宜上、Ｕ相の電流値の代わりに、該電流値と電圧値（１００Ｖ）との積である電力値と測定回数との対応付けを示す。また、図１６でも、図４と同様に、電力値１００Ｗ未満が電流センサ３０の精度低下域に相当する。従って、電力値１００Ｗ未満では、測定回数が電力値に対応付けされていない。
【０１２８】
図１６に示す電力値と測定回数との対応付けを用いて、制御部１５は、電流センサ３０から取得部１３によって取得するＵ相の電流値に基づき、測定回数を変更する。例えば、制御部１５は、取得するＵ相の電力値が１００Ｗ以上３００Ｗ未満の範囲にある場合、測定時間を３０秒に変更し、測定回数を２０回に変更する。また、制御部１５は、電力値が３００Ｗ以上５００Ｗ未満の範囲にある場合、測定時間を３０秒に変更し、測定回数を１６回に変更する。また、制御部１５は、電力値が５００Ｗ以上１０００Ｗ未満の範囲にある場合、測定時間を、Ｐを電力値［Ｗ］として、７２−（Ｐ−５００）／８．３［秒］と表される値に変更し、測定回数を５回に変更する。言い換えると、制御部１５は、電力値が５００Ｗ以上１０００Ｗ未満の範囲にある場合、電力値が８．３Ｗ大きくなる毎に、測定時間が１秒短くなるように、測定時間を変更する。また、制御部１５は、電力値が１０００Ｗ以上である場合、測定時間を１２秒に変更し、測定回数を５回に変更する。
【０１２９】
図１６の例のように、電力値が１００Ｗ以上３００Ｗ未満の範囲にあり、Ｕ相に流れる電流値が小さい場合、電流センサ３０の設置方向の誤判定を防ぐために、測定時間はある程度精度の良い方向判定ができる３０秒となり、かつ測定回数はある程度信頼性が確保できるよう２０回となる。また、図１６では、電力値（電流値）が３００Ｗ（第１所定値）以上になると、電力値が３００Ｗ未満であるときよりも、電流センサ３０の設置方向の誤判定のリスクは低くなる。従って、電力値（電流値）が３００Ｗ（第１所定値）以上である場合、測定時間又は測定回数は、電力値（電流値）が３００Ｗ（第１所定値）を下回るときの測定時間又は測定回数よりも減るように、変更される。例えば、電力値（電流値）が３００Ｗ（第１所定値）以上である場合、測定回数は、２０回未満になる。また、電力値（電流値）が３００Ｗ（第１所定値）５００Ｗ（第５所定値）の範囲にある場合、測定回数は、電力値（電流値）が２００Ｗ（第５所定量）大きくなる毎に、測定回数は４回（第４所定数）減るように、変更される。また、電力値（電流値）が５００Ｗ（第５所定値）以上１０００Ｗ（第６所定値）未満の範囲にある場合、測定時間は、電力値（電流値）が８．３Ｗ（第６所定量）大きくなる毎に、測定時間が１秒（第２時間）短くなるように、変更される。
【０１３０】
第４の実施形態では、Ｕ相の電流値に基づき、測定時間及び測定回数の両方を変更することで、電流センサ３０の方向判定処理にかかる時間である総合時間を適切に制御する。この一例を、図１７を用いて説明する。
【０１３１】
図１７に、図１６に示す測定時間及び測定回数を用いた場合の電流センサ３０の総合時間の一例を示す。なお、図１７においても、図１６と同様に、便宜上、Ｕ相の電流値の代わりに、該電流値と電圧値（１００Ｖ）との積である電力値を示す。
【０１３２】
図１７に示すように、電力値が１００Ｗ以上３００Ｗ未満の範囲にある場合、電流センサ３０の設置方向の誤判定を防止するために、総合時間は１０分（＝３０秒×２０回）となる。また、電力値が３００Ｗ以上になると、Ｕ相に流れる電流値が大きくなるほど、電流センサ３０の設置方向の誤判定のリスクは低くなる。そのため、電力値が３００Ｗ以上になると、総合時間は１０分よりも短くなる。例えば、電力値が３００Ｗ以上５００未満の範囲にある場合、総合時間は８分（＝３０秒×１６回）となる。また、電力値が５００Ｗ以上１０００Ｗ未満の範囲にある場合、総合時間は、電力値が８．３Ｗ大きくなる毎に、５秒（＝１秒×５回）短くなる。また、電力が１０００Ｗ以上である場合、つまり、Ｕ相に流れる電流値が大きく電流センサ３０の設置方向を誤判定するリスクが十分に低い場合、総合時間は１分（＝１２秒×５回）と短くなる。
【０１３３】
このように、第４の実施形態では、Ｕ相に流れる電流値が小さく電流センサ３０の方向判定処理における誤判定を防止する必要がある場合、測定時間及び測定回数を増加させて、精度良い方向判定処理を行うようにする。一方、Ｕ相に流れる電流値が大きく電流センサ３０の設置方向を誤判定するリスクが低い場合、測定時間及び測定回数を減らし、総合時間を短くする。従って、第４の実施形態では、Ｕ相に流れる電流値に基づき測定回数を変更することで、総合時間を適切に制御することができる。さらに、第４の実施形態では、Ｕ相に流れる電流値に応じて、測定時間及び測定回数の両方を変更することで、総合時間をより適切に制御することができる。
【０１３４】
［システム動作］
以下、第４の実施形態に係る電力管理装置１０の動作について説明する。なお、電流センサ３０の方向判定に関する処理において、電流センサ３０の設置方向の判定可否を判定する際の電力管理装置１０の動作（図９参照）は、第１の実施形態と同様であるため、説明を省略する。従って、以下では、図９に示すステップＳ１１０の処理の終了後、電流センサ３０の設置方向の判定処理を行う際の電力管理装置１０の動作を、図１８を参照して説明する。
【０１３５】
＜電流センサの設置方向の判定処理に関する動作＞
まず、制御部１５は、Ｕ相の電流値と測定時間及び測定回数との対応付け（図１６参照）を、記憶部１４から読み出して取得する（ステップＳ４０１）。次に、制御部１５は、電流センサ３０から取得部１３によって、Ｕ相の電流値を取得する（ステップＳ４０２）。
【０１３６】
制御部１５は、ステップＳ４０１の処理で取得した測定時間及び測定回数の対応付け（図１６参照）と、ステップＳ４０２の処理で取得したＵ相の電流値とを用いて、測定時間及び測定回数を設定（変更）する（ステップＳ４０３）。例えば、制御部１５は、図１６に示す対応付けを用いる場合に、ステップＳ４０２の処理で取得した電流値が４００Ｗの電力値に相当する場合、測定時間を３０秒に変更し、測定回数を１６回に変更する。
【０１３７】
ステップＳ４０４〜Ｓ４０９の処理は、図１０に示すステップＳ２０４〜Ｓ２０９の処理と同様であるため、説明を省略する。
【０１３８】
なお、第４の実施形態でも第１の実施形態と同様に、制御部１５は、ステップＳ４０１〜Ｓ４０３の処理と、ステップＳ４０４〜Ｓ４０７の処理とを、並列に実行してもよい。さらに、制御部１５は、ステップＳ４０４〜Ｓ４０７の処理を繰り返し行っている間に、ステップＳ４０２，Ｓ４０３の処理を繰り返し行うようにしてもよい。この場合、制御部１５は、ステップＳ４０３の処理の完了前に、ステップＳ４０４，Ｓ４０５の処理を行う場合のために、図９に示すステップＳ１１０の処理で、測定時間を、Ｕ相に流れる電流値が小さい場合を想定して最大値である３０秒に設定しておいてもよい。同様に、図９に示すステップ１１０の処理で、測定回数を、Ｕ相に流れる電流値が小さい場合を想定して最大値である２０回に設定しておいてもよい。また、この場合、制御部１５は、負荷２００の負荷電力の変動し、ステップＳ４０３の処理で測定時間及び測定回数を再設定した場合、再設定した測定回数に基づき、ステップＳ４０４〜Ｓ４０７の処理を続けてもよい。
【０１３９】
第４の実施形態に係る電力管理装置１０について、その他の制御及び効果は、第１〜第３の実施形態に係る電力管理装置１０の制御及び効果と同様である。
【０１４０】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各構成部、各ステップ等に含まれる機能等は論理的に矛盾しないように再配置可能であり、複数の構成部やステップ等を１つに組み合わせたり、或いは分割したりすることが可能である。また、負荷３００を用いてＵ相とＷ相の２００Ｖ系で実施する場合はＵ相とＯ相についての説明を適用すればよい。よって、単相二線式においても同様に実施することが可能である。また、１回の測定時間を十分長く取れていれば、測定回数はゼロであってもよい。本発明について装置を中心に説明してきたが、本発明は装置が備えるプロセッサにより実行される方法、プログラム、又はプログラムを記録した記憶媒体としても実現し得るものであり、本発明の範囲にはこれらも包含されるものと理解されたい。
また負荷機器として蓄電池の充電であったり、燃料電池の内部負荷を用いたりしてもよい。また本発明の実施形態の方向判定は電力が正方向に流れる場合について説明したが、負方向に流れる場合に適用してもよい。電力が負方向に流れる場合としては、例えば、太陽電池の逆潮流動作であったり、蓄電池又は燃料電池の逆潮流動作又は放電動作であったり等が想定される。
【符号の説明】
【０１４１】
１  電力管理システム
１０  電力管理装置
１１  表示部
１２  入力部
１３  取得部
１４  記憶部
１５  制御部
２０  太陽光発電装置
２１  太陽電池
２２  電力変換部
３０，３１  電流センサ
４０，４１  電圧検出配線
１００  電力系統
２００，２０１，３００  負荷
【図１】
2018004330.tif 000003
【図２】
2018004330.tif 000004
【図３】
2018004330.tif 000005
【図４】
2018004330.tif 000006
【図５】
2018004330.tif 000007
【図６】
2018004330.tif 000008
【図７】
2018004330.tif 000009
【図８】
2018004330.tif 000010
【図９】
2018004330.tif 000011
【図１０】
2018004330.tif 000012
【図１１】
2018004330.tif 000013
【図１２】
2018004330.tif 000014
【図１３】
2018004330.tif 000015
【図１４】
2018004330.tif 000016
【図１５】
2018004330.tif 000017
【図１６】
2018004330.tif 000018
【図１７】
2018004330.tif 000019
【図１８】
2018004330.tif 000020